(57)【要約】【課題】  上半身用の姿勢矯正装着具を提供する。【解決手段】  本考案の姿勢矯正装着具は、背中に当接される背当て部１２と、背当て部の上部及び下部にそれぞれ設けた上側及び下側の肩ベルト挿通案内部１８、２０と、上側及び下側の肩ベルト挿通案内部に挿通されて背当て部の一方側にループ部３０ａを形成し、他方側に両端３２ａが配置される第１の肩ベルト１４ａと、上側及び下側の肩ベルト挿通案内部に挿通されて背当て部の他方側にループ部３０ｂを形成し、一方側に両端３２ｂが配置され、第上側及び下側の肩ベルト挿通案内部内で第１の肩ベルトと交差する第２の肩ベルト１４ｂと、第１の肩ベルトの両端と一端３４ａが係合される第１の腰ベルト１６ａと、第２の肩ベルトの両端と一端３４ｂが係合される第２の腰ベルト１６ｂと、第１及び第２の腰ベルトの他端４０ａ、４０ｂ同士を係合する腰ベルト係合手段４２ａ、４２ｂとを有する。【選択図】図１
0003110653.tif 000002
【実用新案登録請求の範囲】
【請求項１】
腰部を含む背中に当接されるための背当て部と、
背当て部の上部に設けた上側肩ベルト挿通案内部と、
背当て部の下部に設けた下側肩ベルト挿通案内部と、
該上側及び下側の肩ベルト挿通案内部に挿通されて背当て部の一方側にループ部を形成し、他方側に両端が配置される第１の肩ベルトと、
該上側及び下側の肩ベルト挿通案内部に挿通されて背当て部の他方側にループ部を形成し、一方側に両端が配置され、該上側及び下側の肩ベルト挿通案内部内で第１の肩ベルトと交差する第２の肩ベルトと、
該第１の肩ベルトの両端と一端が係合される第１の腰ベルトと、
該第２の肩ベルトの両端と一端が係合される第２の腰ベルトと、
該第１及び第２の腰ベルトの他端同士を係合する腰ベルト係合手段とを有することを特徴とする上半身用の姿勢矯正装着具。
【請求項２】
第１及び第２の肩ベルトの両端が対応する第１及び第２の腰ベルトの一端に回動可能に係合されていることを特徴とする請求項１に記載の姿勢矯正装着具。
【請求項３】
第１及び第２の肩ベルトの一部が伸縮可能であることを特徴とする請求項１または２のいずれかに記載の姿勢強制装着具。
【請求項４】
腰ベルト係合手段が、第１及び第２の腰ベルトの他端に設けられた面ファスナーであることを特徴とする請求項１〜３のいずれか一に記載の姿勢強制装着具。
【請求項５】
板状の弾性部材が背当て部に設けられていることを特徴とする請求項１〜４のいずれか一に記載の姿勢矯正装着具。
【考案の詳細な説明】
【技術分野】
【０００１】
本考案は、上半身の姿勢を矯正する姿勢矯正装着具に関する。
【背景技術】
【０００２】
上半身の悪い姿勢、例えば、猫背や前かがみの姿勢を矯正する姿勢矯正装着具として、特許文献１のものがある。これは、略縦長の背当て部と、背当て部の下部に設けたベルト挿通部と、背当て部上部の上縁の左右隅部にそれぞれ一端が取着されて腕を通すための空間を形成するループ部を設け且つベルト挿通案内部を互いに交差して挿通して他端の自由端部が腹部側に伸張する一対の肩ベルトと、肩ベルトの自由端部に取着された係合解除可能な肩ベルト係合手段とを有する。背当て部が腰部を含む背中に当接されるとともに肩ベルトのループ部が腕を通して肩に掛けられ、肩ベルトの自由端部が腹部側に引かれて腹部で肩ベルト係合手段を介して自由端部同士が係合され、背当て部が背中に当接維持されることにより、上半身の姿勢が矯正される。
【特許文献１】実公平４−３２０９５号公報
【考案の開示】
【考案が解決しようとする課題】
【０００３】
しかしながら、上述の姿勢矯正装着具において、締めるために肩ベルトの自由端部を腹部側に引くと、肩を支点にして背当て部が背中に沿って頭部側に引かれることがあった。そのため、背当て部が位置ずれして適切な位置で当接せず、適切な姿勢矯正が行えないことがあった。
【０００４】
そこで、本考案は、装着時において背当て部が位置ずれしない上半身用の姿勢矯正装着具を提供することを目的とする。
【課題を解決するための手段】
【０００５】
本考案の姿勢矯正装着具は、腰部を含む背中に当接されるための背当て部と、背当て部の上部に設けた上側肩ベルト挿通案内部と、背当て部の下部に設けた下側肩ベルト挿通案内部と、該上側及び下側の肩ベルト挿通案内部に挿通されて背当て部の一方側にループ部を形成し、他方側に両端が配置される第１の肩ベルトと、該上側及び下側の肩ベルト挿通案内部に挿通されて背当て部の他方側にループ部を形成し、一方側に両端が配置され、該上側及び下側の肩ベルト挿通案内部内で第１の肩ベルトと交差する第２の肩ベルトと、該第１の肩ベルトの両端と一端が係合される第１の腰ベルトと、該第２の肩ベルトの両端と一端が係合される第２の腰ベルトと、該第１及び第２の腰ベルトの他端同士を係合する腰ベルト係合手段とを有することを特徴とする。
【考案の効果】
【０００６】
本考案によれば、上側及び下側方ベルト挿通案内部に肩ベルトが挿通されることにより背当て部と肩ベルトが一体化しているが、背当て部は腰ベルトと肩ベルトに固定されていない。そのため、装着時に腰ベルトが引かれることにより肩ベルトが引かれても、背当て部は移動しない。その結果、背当て部が適切な位置で当接維持されることにより、上半身の姿勢を適切に矯正することができる。
【考案を実施するための最良の形態】
【０００７】
本考案に係る上半身用の姿勢矯正装着具を図１、図２に示す。図１は、装着時において外側となる方向から見た装着具の全体図であり、図２は、装着時において内側（身体と接触する側）となる方向から見た装着具の全体図である。
【０００８】
両図に示すように、姿勢矯正装着具１０は、腰部を含む背中と当接する背当て部１２と、腕を通して肩に掛かる一対の肩ベルト１４ａ、１４ｂと、腰部に巻回される一対の腰ベルト１６ａ、１６ｂとから構成される。
【０００９】
背当て部１２は、装着時に腰部を含む背中に当接するための縦長形状の布材である。図１に示すように、背当て部１２の上部と下部には、肩ベルト１４ａ、１４ｂが交差した状態で挿通される肩ベルト挿通案内部１８、２０を有する。ここで、「上部」とは装着時において頭部側を意味し、「下部」は腰部側を意味する。肩ベルト挿通案内部１８、２０は、背当て部１２に縫製された布材であって、肩ベルト１４ａ、１４ｂが挿通されるための開放部（背当て部１２に縫製されていない部分）２２、２４を有する。肩ベルト挿通案内部１８、２０により、背当て部１２の上部と下部で肩ベルト１４ａ、１４ｂの交差が維持される。また、背当て部１２は、装着時に腰部に当接する部分（下部側の肩ベルト挿通案内部２０が設けられている部分）が幅広に形成されている。
【００１０】
また、背当て部１２は、図２に示すように、背中当接面２６に縦方向に伸びる板状の２つの弾性部材２８が設けられている。２つの弾性部材２８は、肩ベルト挿通案内部１８、２０の間の背当て部１２の部分に配置されている。弾性部材２８は、装着時に上半身を直立姿勢に矯正するために機能する。
【００１１】
肩ベルト１４ａ、１４ｂは、装着時に腕を通して肩に掛けられる帯状の布材である。肩ベルト１４ａは、腕を通して肩に掛かるためのループ部３０ａを背当て部１２の一方側（図１においては左側）に形成し、両端３２ａが他方側（同図において右側）に配置されるように、肩ベルト挿通案内部１８、２０に挿通されている。肩ベルト１４ｂは、ループ部３０ｂを背当て部１２の他方側に形成し、両端３２ｂが一方側に配置されるように、肩ベルト挿通案内部１８、２０に挿通されている。
【００１２】
肩ベルト１４ａの両端３２ａは、腰ベルト１６ａの一端３４ａにカシメピン３６によって回動可能に係合されている。同様に、肩ベルト１４ｂの両端３２ｂが、腰ベルト１６ｂの一端３４ｂにカシメピン３６によって回動可能に係合されている。
【００１３】
また、肩ベルト１４ａ、１４ｂの一部、例えば、装着時に肩周りに当接する部分が伸縮可能な布材３８ａ、３８ｂで構成されている。
【００１４】
腰ベルト１６ａ、１６ｂは、装着時に腰部に巻回される帯状の布材であってそれぞれの一端部３４ａ、３４ｂで肩ベルト１４ａ、１４ｂの両端３２ａ、３２ｂに固定されている。腰ベルト１６ａ、１６ｂは、他端部（肩ベルト１４が係合されていない残りの端）４０ａ、４０ｂに、腰ベルト１６ａ、１６ｂの他端部４０ａ、４０ｂ同士が係合するための腰ベルト係合手段として面ファスナー４２ａ、４２ｂを有する。腰ベルト係合手段は、面ファスナ以外でもよく、例えば、バックルで構成してもよい。
【００１５】
姿勢矯正装着具１０の装着方法を図３〜５を用いて説明する。
【００１６】
まず、図３に示すように、肩ベルト挿通案内部２０が腰部に配置されるように背当て部１２が背中に配置された状態で、肩ベルト１４ａ、１４ｂが形成するループ部３０ａ、３０ｂに腕が通され肩が掛けられる。
【００１７】
次に、図４に示すように、腰ベルト１６ａ、１６ｂが腰部に巻回され腹部側に引かれる。腰ベルト１６ａ、１６ｂが腹部側に引かれることにより、肩ベルト１４ａ、１４ｂが形成するループ部３０ａ、３０ｂが小さくなり身体胸部を背中側に引き起こすとともに、背当て部１２の下部（肩ベルト挿通案内部２０が設けられた部分）が腰部を押圧する。これにより、上半身を直立姿勢に矯正する。なお、このとき、肩ベルト１４ａ、１４ｂと腰ベルト１６ａ、１６ｂは回動可能に係合されているために、肩ベルト１４ａ、１４ｂに影響されることなく腰ベルト１６ａ、１６ｂを腰部に沿って腹部側に引くことができる。また、肩ベルト１４ａ、１４ｂの一部が伸縮材３８ａ、３８ｂで構成されているために、姿勢矯正装着具１０が上半身に密接する。
【００１８】
続いて、図５に示すように、上半身を直立姿勢に矯正した状態で腰ベルト１６ａ、１６ｂの他端部４０ａ、４０ｂが腹部で面ファスナー４２ａ、４２ｂを介して係合されることにより、上半身の直立姿勢を維持する。
【００１９】
本考案の姿勢矯正装着具によれば、肩ベルトと背当て部は固定されていないため、装着時に腰ベルトを引くことにより肩ベルトが移動しても、適切な位置に背中に当接された背当て部が移動することがない。その結果、装着時に起こる背当て部の位置ずれが防止され、上半身が適切な直立姿勢に矯正維持される。
【図面の簡単な説明】
【００２０】
【図１】本考案に係る姿勢矯正装着具の外側を示す構成図である。
【図２】本考案に係る姿勢矯正装着具の身体接触側を示す構成図である。
【図３】本考案に係る姿勢矯正装着具の装着方法を示す図である。
【図４】図３に続く本考案に係る姿勢矯正装着具の装着方法を示す図である。
【図５】図４に続く本考案に係る姿勢矯正装着具の装着方法を示す図である。
【符号の説明】
【００２１】
１０  姿勢矯正装着具
１２  背当て部
１４ａ、１４ｂ  肩ベルト
１６ａ、１６ｂ  腰ベルト
１８、２０  肩ベルト挿通案内部
２２、２４  開放部
２６  背中当接面
２８  弾性部材
３０ａ、３０ｂ  ループ部
３２ａ、３２ｂ  両端
３４ａ、３４ｂ  一端
３６  カシメピン
３８  伸縮材
４０ａ、４０ｂ  他端
４２ａ、４２ｂ  面ファスナー
【図１】
0003110653.tif 000003
【図２】
0003110653.tif 000004
【図３】
0003110653.tif 000005
【図４】
0003110653.tif 000006
【図５】
0003110653.tif 000007